(57)【特許請求の範囲】
【請求項１】
板状鉄心の周囲に巻回された電磁コイルに交流電源を通電することにより発生する熱で温熱し、同時に発生する電磁力にて周辺に磁気を生じさせる温熱・磁気発生素子を、温熱・磁気・加振治療器本体の凹状部内に移動可能に遊嵌し、前記温熱・磁気発生素子の一端側に所定間隔をあけて永久磁石体を前記治療器本体内に固定することにより、前記電磁コイルへの通電時に前記温熱・磁気発生素子が前記永久磁石体に対し離間・接近して振動する構成としたこと、
長方形状の前記治療器本体の幅方向の中間位置に、複数個の前記永久磁石体を長さ方向に間隔をあけて配置し、各前記永久磁石体を中心に相対向して一対の前記温熱・磁気発生素子を配置したこと、
前記温熱・磁気発生素子および前記永久磁石体を収納可能な複数の凹状部を、耐熱性軟質樹脂材料により真空成型にて成形し、前記温熱・磁気発生素子および前記永久磁石体を対応する各凹状部内に収納した状態で、シート状耐熱性軟質樹脂材料を前記各凹状部の開口側に高周波溶着して前記開口部を閉塞し、前記治療器本体を防滴構造にしたことを特徴とする温熱・磁気・加振治療器。
【請求項２】
前記耐熱性軟質樹脂材料が厚さ１ｍｍ以下の電気的絶縁性および耐熱性を有する塩化ビニールシートからなることを特徴とする請求項１記載の温熱・磁気・加振治療器。
【請求項３】
前記温熱・磁気発生素子の全ての電磁コイルを直列に接続したことを特徴とする請求項１または２記載の温熱・磁気・加振治療器。
【請求項４】
前記温熱・磁気発生素子の少なくとも一つにサーミスタを装着し、このサーミスタにより前記温熱・磁気発生素子の電磁コイルに通電される交流電源からの電流を制御して前記温熱・磁気発生素子の発熱温度を所定の範囲内に規制する制御器を設けたことを特徴とする請求項１〜３のいずれか１つに記載の温熱・磁気・加振治療器。
【請求項５】
前記制御器を介して発光素子に通電し、通電時に同発光素子が点灯するようにしたことを特徴とする請求項４記載の温熱・磁気・加振治療器。
【請求項６】
前記治療器本体の一側部内に交流電源に一端が接続される導子コードの他端部側を挿入し、前記一側部内において前記温熱・磁気発生素子の電磁コイルに通電するための接続端子と前記発光素子とに前記導子コードを接続し、前記発光素子の発光部から導光材料を前記治療器本体の外方へ導いて前記導光材料の発光部を露出させたことを特徴とする請求項５記載の温熱・磁気・加振治療器。
【発明の詳細な説明】
【技術分野】
【０００１】
本発明は、一般家庭用の１００Ｖ交流電源で使用可能な温熱・磁気・加振治療器に関し、詳しくは、人体の患部などを温めると同時に、磁気を付与し、かつ振動を与えることができる治療器に関する。
【背景技術】
【０００２】
この種の治療器としては、変動電磁界により振動を生ずる温熱・磁気・加振治療用素子を複数用いたもので、これらの治療用素子が電気的絶縁性及び耐熱性を有する強樹脂材料からなる上側部材と、電気的絶縁性及び耐熱性を有する樹脂材料からなり前記上側部材に結合されて筒状体を形成する下側部材と、前記上側部材及び下側部材の間に挟持されて固定されている固定磁性板と、一端部が前記上側部材及び下側部材の間に挟持されて固定され、他端部が前記固定磁性板の端部に対し厚さ方向において若干ずれて位置する自由端とされている振動磁性板と、前記筒状体の外周囲に多数回捲回された電磁コイルとを備えた温熱・磁気・加振治療器が提案され、かつ実用化されている（例えば、特許文献１参照）。
【０００３】
この治療器によれば、電源への接続や電源スイッチのオン等により電磁コイルに電流が流されると、その電流の通過によって電磁コイルが発熱し、温度を上昇させるとともに、筒状体の外周に捲回された電磁コイルが励磁コイルとして作用して、筒状体の長手方向の軸線を軸心とする磁束を生成し、周囲に磁気を発生する。また、それとともに、振動磁性板は、一端部が固定され他端部が自由端である片持ち支持状態であり、他端部が厚さ方向において固定磁性板の端部と厚さ方向に対し若干ずれて位置していることから、発生する変動電磁界によって、他端部が、振動磁性板自体の弾性によって、厚さ方向において振動し、その振動が筒状体を構成する上側部材及び下側部材に伝えられる。
【０００４】
その他の先行技術として、上記のような治療器に対して加振（振動）作用を増巾するために、複数個の永久磁石板を可撓性の平板上にならべて固着することにより前記治療器上に重ねて使用可能に構成したシート状の振動増巾器が提案されている（例えば、特許文献２参照）。
【特許文献１】特開平１１−２８２５１号公報
【特許文献２】実開平６−７７５２号公報
【発明の開示】
【発明が解決しようとする課題】
【０００５】
上記した従来の治療器は、上下一対の半円弧状筒状部材を突き合わせた筒状体内に振動磁性板と固定磁性板とを内装し、筒状体の周囲に電磁コイルを巻回した複数個の温熱・磁気・加振治療用素子を直列に接続し、可撓性の布製カバー内に連続的に並べて固定することによりシート状に構成されている。このため、凹凸のあるシート状で、凹部と凸部の厚みの差異が大きく、したがって、腰部や肩部の下などに敷いて使用する場合には、「ごつごつ」した感触を受ける。これに加えて、上記した振動増幅器を治療器の上に重ねて使用する場合には、治療器全体の厚みがさらに増すことから、その感触は一層強くなる。また、治療器全体の重量も増えるために、取り扱い上も不便である。
【０００６】
本発明は上述の点に鑑みなされたもので、治療器本体の構造を簡素化してコストダウンを図り、厚みを薄くし、軽量化を図り、取り扱いを容易にし、また業務用としてだけでなく、一般家庭にも普及させられる温熱・磁気・加振治療器を提供しようとするものである。
【課題を解決するための手段】
【０００７】
上記の目的を達成するために本発明の温熱・磁気・加振治療器は、板状鉄心の周囲に巻回された電磁コイルに交流電源を通電することにより発生する熱で温熱し、同時に発生する電磁力にて周辺に磁気を生じさせる温熱・磁気発生素子を、温熱・磁気・加振治療器本体の凹状部内に移動可能に遊嵌し、前記温熱・磁気発生素子の一端側に所定間隔をあけて永久磁石体を前記治療器本体内に固定することにより、前記電磁コイルへの通電時に前記温熱・磁気発生素子が前記永久磁石体に対し離間・接近して振動する構成としたこと、長方形状の前記治療器本体の幅方向の中間位置に、複数個の前記永久磁石体を長さ方向に間隔をあけて配置し、各前記永久磁石体を中心に相対向して一対の前記温熱・磁気発生素子を配置したこと、前記温熱・磁気発生素子および前記永久磁石体を収納可能な複数の凹状部を、耐熱性軟質樹脂材料により真空成型にて成形し、前記温熱・磁気発生素子および前記永久磁石体を対応する各凹状部内に収納した状態で、シート状耐熱性軟質樹脂材料を前記各凹状部の開口側に高周波溶着して前記開口部を閉塞し、前記治療器本体を防滴構造にしたことを特徴とする。
【０００８】
上記の構成を有する本発明の温熱・磁気・加振治療器によれば、交流電源への接続により電磁コイルに電流が流されると、その電流の導通によって電磁コイルが発熱し、温度が上昇して温熱作用を発揮するとともに、板状鉄心の周囲に捲回された電磁コイルが励磁コイルとして作用し、板状鉄心の長手方向の軸線を軸心とする磁束を生成し、周囲に磁気を発生する。一方、板状鉄心の長手方向の端部に励磁される磁極は、交流電源により一定の周期（５０乃至６０サイクル）でＮ極とＳ極に変化するため、前記板状鉄心の端部に対向配置されている永久磁石の固定磁極（Ｎ極またはＳ極）に対し反発したり吸着されたりすることによって板状鉄心を主体とする温熱・磁気発生素子は凹状部内で往復動、つまり振動する。
【００１０】
また、長手方向に一定間隔で並んで配置された各永久磁石を中心に直交する方向において対向する温熱・磁気発生素子が振動すると同時に、発熱して温熱作用を発揮し、また温熱・磁気発生素子による電磁気作用と永久磁石による磁気作用とで磁力を発生させる。
【００１２】
さらに、前記凹状部を設計通りの寸法（大きさ）に正確に形成、つまり寸法精度の高い製造が可能になるから、温熱・磁気発生素子を収納する凹状部の場合、温熱・磁気発生素子とこの素子を遊嵌する凹状部の長手方向における内壁面との間隙が一定となり、各凹状部内における温熱・磁気発生素子の振動幅(振動の大きさ）がほぼ一定となる。一方、永久磁石体を収納する凹状部は永久磁石体とほぼ等しく（わずかに大きく）形成することで、静止状態に保持あるいは微振動させられる。また軟質樹脂材料を用いて前記温熱・磁気発生素子や前記永久磁石体を収納する凹状部を形成するので、治療器全体の厚みを薄くでき、温熱・磁気発生素子などの構造も簡単で小型軽量化できることから、取り扱いが容易なうえに、使用に際して体のどのような部位に当接させても、従来のような「ごつごつ」感がなく、嵩張らないから、使用時に違和感がない。
【００１３】
請求項２に記載のように、前記耐熱性軟質樹脂材料に厚さ１ｍｍ以下の電気的絶縁性および耐熱性を有する塩化ビニールシートを使用することができる。この場合、通常は布製の袋などに収納して使用することで、塩化ビニールシートの摩耗や損傷を防止でき、長期使用が可能になる。また、治療器本体の軽量化およびコストダウン化を図れる。
【００１４】
請求項３に記載のように、前記温熱・磁気発生素子の全ての電磁コイルを直列に接続することができる。
【００１５】
請求項４に記載のように、前記温熱・磁気発生素子の少なくとも一つにサーミスタを装着し、このサーミスタにより前記温熱・磁気発生素子の電磁コイルに通電される交流電源からの電流を制御する制御器を設けることができる。
【００１６】
このように構成すれば、サーミスタが電磁コイルの温度を検知して電流の通過量を制限するので、治療器からの発熱量をほぼ一定に保って過熱を防止する。
【００１７】
請求項５に記載のように、前記制御器を介して発光素子に通電し、通電時に同発光素子が点灯するようにすることができる。
【００１８】
このようにすれば、通電時に発光素子が点灯するので、通電状態（温熱・磁気発生素子が動作中）であることが容易に確認できる。
【００１９】
請求項６に記載のように、前記治療器本体の一側部内に交流電源に一端が接続される導子コードの他端部側を挿入し、前記一側部内において前記温熱・磁気発生素子の電磁コイルに通電するための接続端子と前記発光素子とに前記導子コードを接続し、前記発光素子の発光部から導光材料を前記治療器本体の外方へ導いて前記導光材料の発光部を露出させることができる。
【００２０】
このようにすれば、前記シート状耐熱性軟質樹脂材料（請求項３）を前記各凹状部の開口側に高周波溶着して開口部を閉塞する際に、前記治療器本体の一側部における導子コードの挿入部および導光材料の取り出し部を同時に閉塞できるので、治療器本体の防水構造を簡単にかつ安価に達成し得る。
【発明の効果】
【００２１】
本発明の温熱・磁気・加振治療器には、次のような優れた効果がある。すなわち、体の患部に当てたり敷いたりして使用する治療器本体を構成する温熱・磁気発生素子などの部材の構造を簡単にして軽量化を図れるとともに、治療器本体の厚みを薄く(例えば、１０ｍｍ前後に）でき、しかも本体を構成するケースを耐熱性の軟質樹脂で形成することにより接触時の「ごつごつ」感をなくし感触を良好にできる。また、コストダウン化が図れ、耐久性も向上して長期間安定した使用が可能になる。さらに、取り扱いが容易で、持ち運びも便利で、家庭用１００Ｖ交流電源で使用できるために、業務用としてだけでなく、一般家庭にも普及させられる。
【発明を実施するための最良の形態】
【００２２】
以下、本発明の温熱・磁気・加振治療器について実施の形態を図面に基づいて説明する。
【００２３】
図１は本発明の温熱・磁気・加振治療器の実施例を示す平面図、図２(a)は図１のａ−ａ線断面図、図２(b)は図１のｂ−ｂ線断面図、図３は図１の本発明の温熱・磁気・加振治療器のブロック図である。図４は図１の本発明の温熱・磁気・加振治療器本体の真空成形用金型の凹状部側を示す平面図、図５(a)は図４の真空成形用金型を示す正面図、図５(b)は図４のｂ−ｂ線断面図である。
【００２４】
図１・図２に示すように、本発明の温熱・磁気・加振治療器１の治療器本体２は、耐熱性塩化ビニールを用いて真空成形された収納ケース３を備えている。治療器本体２は、図３に示すように家庭用１００Ｖ交流電源の通電時に点灯するＬＥＤ(発光ダイオード）６および導子コード部４と、４隅の角部を円弧状に形成した略長方形の板状鉄心７ｂの外周面上に電磁コイル７ａ（図２(ｂ)参照）を何重にも多数巻回した温熱・磁気発生素子７と永久磁石体８とを備えている。また、治療器本体２は、別体のコントローラ(制御器)５(図１・図３参照）に導子コード４ａにより接続されている。そして、コントローラ５には、導子コード４ａの他端の接続プラグ４ｄを接続するプラグ受け５２および電源スイッチ（図示せず）のほかに、交流電源のコンセントに接続可能な二股プラグ５１を先端に備えた導子コード(図示せず)５０の基端が接続されている。
【００２５】
永久磁石体８は温熱・磁気発生素子７の幅方向の長さに比べて長手方向の長さが短い長方形状の板体からなり、３個の永久磁石体８が治療器本体２の幅方向の中間位置に横長方向に一定間隔をあけて並べて配置されている。一方、温熱・磁気発生素子７は永久磁石体８を中心にして挟むように一定間隔をあけて縦長方向に一対ずつ配置されている。
【００２６】
導子コード部４は、治療器本体２の長手方向の一側方寄りに幅方向に沿って設けられており、治療器本体２の一側部において、ほぼ幅方向全長にわたり後述する凹状部３ｃを形成し、この凹状部３ｃ内に収納して密封されている。つまり、凹状部３ｃ内に導子コード４ａを挿入するとともにＬＥＤ６を配置し、ＬＥＤ６の発光部位に光ファイバーなどの導光部材１０の内端面を突き合わせ、導光部材１０の他端側の発光部１０ａを導子コード４ａに沿って外方へ取り出し、露出させている。このため、本例では導子コード４ａの半円形状の取り出し孔部２３ｅ（図４参照）と平行に半円形状の、導光部材１０の取り出し孔部２３ｄ（図４参照）を舌片状部２３'(図４参照）に設けている。
【００２７】
導子コード部４には、上記したとおりコントローラ５のプラグ受け５２に接続可能な接続プラグ４ｄを備えた導子コード４ａを含み、この導子コード４ａは分岐されている。そして、一方の組の分岐導子コード４ｂの一端は、図１に示すように導子コード部４の右側に隣接する上下の温熱・磁気発生素子７の電磁コイル７ａの一端にそれぞれ接続され、電磁コイル７ａの他端が接続コード９を介して隣接する中央位置の温熱・磁気発生素子７の電磁コイル７ａの一端に接続されている。
【００２８】
中央位置の温熱・磁気発生素子７の電磁コイル７ａの他端は接続コード９を介して隣接する右端の温熱・磁気発生素子７の電磁コイル７ａの一端にそれぞれ接続されている。上下の右端の温熱・磁気発生素子７の電磁コイル７ａの他端同士が接続コード９を介して接続されている。このようにして、本例では上下の全６個の温熱・磁気発生素子７の電磁コイル７ａが接続コード９を介して順にかつ一連に直列に接続されている。そして、下側の中央位置および右端の温熱・磁気発生素子７の各電磁コイル７ａ一端と接続コード９との間には、サーモスタット１１がそれぞれ介設されている。なお、図１中の符号９ｂおよび符号９ｃは絶縁被覆付き接続端子である。
【００２９】
また、上側左端の温熱・磁気発生素子７の一端部にサーミスタ１２が取り付けられ、このサーミスタ１２は一組の分岐導子コード４ｃにより導子コード部４を経由して、コントローラ５のプラグ受け５２の一対の端子（９ｂ）に接続されている。他方の分岐導子コード４ｃの一端はサーミスタ１２に一端が接続され、この分岐導子コード４ｃの他端は、コントローラ５の他方の一対の端子（９ｃ）に接続されている。さらに、下側で右端の温熱・磁気発生素子７の電磁コイル７ａの両端（両極）にＬＥＤ６の一端が接続コード１３により、他端が抵抗器６ａを介設した接続コード１３によりそれぞれ接続されており、温熱・磁気発生素子７の電磁コイル７ａの両端（両極）に生ずる分圧低電位を利用することにより、ＬＥＤ６を発光させるための電力を得ている。
【００３０】
そして後述するように、全ての構成部材を装填した状態で、各凹状部３ａ・３ｂ・３ｃの開口側（下面）に別の塩ビシート３’を配置し、高周波溶着機により各凹状部３ａ・３ｂ・３ｃの開口周縁部を相互に溶着し、防滴構造の治療器本体２を形成している。なお、凹状部３ｃの導子コード４ａおよび導光部材１０の取り出し口側は舌片状２３’に張り出し、別の塩ビシート３’を貼り合わせて取り出し口を密封している。
【００３１】
ところで、治療器本体２の収納ケース３は、上記したように耐熱性塩化ビニールのシートを用いて図４に示す金型２１により真空成形されている。比較的厚め（例えば、１ｍｍ以下）の塩化ビニールシート（以下、塩ビシートという）が金型本体２２と複数の凹状部２３ａ・２３ｂを備えた上型２３との間に挿入され、金型本体２２内のヒータ（図示せず）にて１００℃以上（ただし１３０℃以下）に加熱される。こうして塩ビシートは軟化され、この軟化状態で各凹状部２３ａ・２３ｂ・２３ｃの内面に吸引される。この負圧吸引を行うために、各凹状部２３ａ・２３ｂ・２３ｃの周壁面には多数の吸引孔（図示せず）が穿設されている。各凹状部２３ａ・２３ｂ・２３ｃの内壁面に塩ビシートが吸着されると、ヒータによる加熱が中止され、今度は金型本体２２から低温の水蒸気が塩ビシートに対し噴射され、塩ビシートは急速に冷却される。この結果、図１〜図２に示す複数の凹状部３ａ・３ｂ・３ｃを備えた収納ケース３の片側（凹状部側）が成形される。
【００３２】
そして、収納ケース３の各凹状部３ａ・３ｂ・３ｃには、内部に収納される構成部品である、温熱・磁気発生素子７、永久磁石体８およびＬＥＤ６ならびにその他の導子コード部４などを装填する。例えば、温熱・磁気発生素子７は長手方向に振動させる必要があるので、凹状部３ａの長手方向において温熱・磁気発生素子７の端部と凹状部３ａの内壁面とに隙間をあけて遊嵌する。一方、永久磁石体８は、本例の場合、微振動状態に保持するために、凹状部３ｂの短軸方向において内壁面に対し永久磁石体８の両端とほとんど隙間のない状態で嵌挿する。
【００３３】
このようにして全ての構成部材を装填した状態で、各凹状部３ａ・３ｂ・３ｃの開口側（下面）に別の塩ビシート３’を配置し、高周波溶着機（ウエルダー）により各凹状部３ａ・３ｂ・３ｃの開口周縁部を相互に溶着し、収納ケース３が形成されれば、治療器本体２の組立が終了する。
【００３４】
上記のようにして本発明の実施例に係る温熱・磁気・加振治療器１が構成されるが、以下、その動作について説明する。
【００３５】
まず、コントローラ５の電源プラグ５１を家庭用交流電源のコンセントに差し込んで電源スイッチをオンにし、温熱・磁気・加振治療器１に通電する。この状態で、電磁コイル３が発熱し、各温熱・磁気発生素子７，・・の温度が上昇するとともに、板状鉄心７ｂの外周面に多数捲回された電磁コイル３が励磁コイルとして作用して、板状鉄心７ｂの長手方向の軸線を軸心とする磁束を生成し、温熱・磁気・加振治療器１の周囲に磁気を発生する。同時に、永久磁石体８の端部と対向する板状鉄心７ｂの端部に磁極（Ｎ極／Ｓ極）が発生し、永久磁石体８に対し温熱・磁気発生素子７が吸引されたり反発したりして、凹状部３ａ内で往復動つまり振動する。このとき、永久磁石体８も凹状部３ｂ内のわずかな間隙で微振動する。そして、これらの振動は治療器本体２に伝達されて全体を振動させることになる。
【００３６】
よって、治療器本体２を例えば布製の外カバーに挿入した状態で腰や肩、首などの患部に当てれば、温熱および磁気作用によって血行を促進させる。本例の治療器本体２は厚みが１０ｍｍ前後と非常に薄く、軽量で、しかも全体が軟質の塩ビシートで被覆されているので、患部に当てたときに「ごつごつ」感が全くなく、感触が良好な上に、患部の下に敷いて体重を掛けても「ごろごろ」せず、圧迫感もない。このため、治療器本体２を体の下に敷いて快適に長時間使用することができる。また、加振（振動）作用により、マッサージ効果があり、血行および新陳代謝を促進させ、肩こり、ひじ痛、ひざ関節痛、腰痛、冷え性等の疾患の治療効果を向上させる。
【００３７】
特に、本例の治療器１は、耐熱性を有する塩ビシートを真空成形して治療器本体２の収納ケース３を構成しているので、成形が容易で、大量生産が可能になり、コストダウンが図れる。また、本治療器１は、通常は、腰等の患部に押し当てて使用されるが、例えば背骨や臀部の下に敷いたような場合であっても、内部の構成部材、例えば温熱・磁気発生素子７が変形して圧壊するおそれがない。そのうえ、塩ビシートは樹脂材料は、温熱伝導性に優れているため、外部への熱放射が良好で、治療器本体２内への蓄熱が少ない。
【００３８】
以上に本発明の温熱・磁気・加振治療器１の実施例を説明したが、下記のように実施することができる。
・耐熱性軟質樹脂材料には、塩化ビニールの他、例えばポリオレフィン樹脂を使用することができる。
・上記実施例では、収納ケース３の凹状部を片面に設けたが、図６に示すように凹状部３ａ・３ｂ・３ｃを両面３・３’に対称的に真空成形し、開口周縁部を突き合わせて高周波溶着により治療器本体２’を一体に形成することもできる。
・上記実施例では、永久磁石体８を中心に一対の対向する温熱・磁気発生素子７を３組設けたが、２組あるいは４組もしくは５組設けてもよい。
・ＬＥＤ６は通電時に点灯させるだけでなく、点滅させたり、コントローラ５の出力に応じて光量を変えるようにすることもできる。
【図面の簡単な説明】
【００３９】
【図１】本発明の温熱・磁気・加振治療器の実施例を示す平面図である。
【図２】図２(ａ)は図１のａ−ａ線断面図、図２(ｂ)は図１のｂ−ｂ線断面図である。
【図３】図３は図１の本発明の温熱・磁気・加振治療器のブロック図である。
【図４】図１の本発明の温熱・磁気・加振治療器本体の真空成形用金型の凹状部側を示す平面図である。
【図５】図５(ａ)は図４の真空成形用金型を示す正面図、図５(ｂ)は図４のｂ−ｂ線断面図である。
【図６】本発明の温熱・磁気・加振治療器の他の実施例に係る治療器本体を示す、図２(ａ)に対応する断面図である。
【符号の説明】
【００４０】
１  温熱・磁気・加振治療器
２  治療器本体
３  収納ケース
３ａ・３ｂ・３ｃ凹状部
３’塩化ビニールシート（軟質樹脂シート）
４  導子コード部
４ａ導子コード
４ｂ・４ｃ分岐導子コード
５  コントローラ（制御器）
６  ＬＥＤ(発光素子）
７  温熱・磁気発生素子
７ａ電磁コイル
７ｂ板状鉄心
８  永久磁石体
９  接続コード
１１  サーモスタット
１２  サーミスタ
２１  真空成形用金型
２２  金型本体
２３  上型
２３ａ・２３ｂ・２３ｃ凹状部(金型）
【図１】
0005121330.tif 000002
【図２】
0005121330.tif 000003
【図３】
0005121330.tif 000004
【図４】
0005121330.tif 000005
【図５】
0005121330.tif 000006
【図６】
0005121330.tif 000007